(57)【要約】【課題】受講者の出欠確認を正確かつ簡易に行うことができる電波検出システム提供すること。【解決手段】電波検出システムは、特定の領域内に設置される複数の電波検出装置と、電子機器とを備える。複数の電波検出装置は、教育機関が発行する身分証明書が内蔵する記録媒体に記録された個別情報を読み取る個別情報読取部と、個別情報読取部が読み取った個別情報を含むデータを生成するデータ生成部と、データ生成部が生成したデータを示す信号を所定の通信方式で送出する送出部とをそれぞれ備える。電子機器は、送出部から送出された信号が示すデータに含まれる個別情報を、教育機関で行われる講義の受講者の出席確認に利用する。【選択図】図４
2014222454.tif 000002
【特許請求の範囲】
【請求項１】
教育機関が発行する身分証明書が内蔵する記録媒体に記録された個別情報を読み取る個別情報読取部、
前記個別情報読取部が読み取った個別情報を含むデータを生成するデータ生成部、及び、
前記データ生成部が生成したデータを示す信号を所定の通信方式で送出する送出部をそれぞれ備えた、特定の領域内に設置される複数の電波検出装置と、
前記送出部から送出された信号が示すデータに含まれる個別情報を、前記教育機関で行われる講義の受講者の出席確認に利用する電子機器と、
を備えたことを特徴とする電波検出システム。
【請求項２】
電波時計のための標準電波を受信する標準電波受信部、
前記標準電波受信部が受信した標準電波を処理して時刻データを生成する時刻データ生成部、及び、
前記時刻データが生成した時刻データを示す信号を所定の通信方式で送出する送出部を備えた通信装置と、
特定の領域内に設置され、前記送出部から送出された信号が示す時刻データが示す時刻をディスプレイに表示するよう処理する複数の電波検出装置と、
を備えたことを特徴とする電波検出システム。
【請求項３】
請求項２に記載の電波検出システムであって、
前記通信装置は、前記電波検出装置において時刻を補正するための基準データを前記時刻データに含め、
前記電波検出装置は、前記送出部から送出された信号が示す時刻データに含まれる基準データに基づいて、前記時刻データが示す時刻を補正した上で、補正した時刻を前記ディスプレイに表示するよう処理することを特徴とする電波検出システム。
【請求項４】
講義中に講師が行った質問に対する回答を受講者が入力するための入力部と、
前記入力部によって入力された回答を示す回答データを生成する回答データ生成部と、
前記回答データ生成部が生成した回答データを示す信号を所定の通信方式で送出する送出部をそれぞれ備えた、特定の領域内に設置される複数の電波検出装置と、
前記送出部から送出された信号が示す回答データを集計する電子機器と、
を備えたことを特徴とする電波検出システム。
【請求項５】
請求項４に記載の電波検出システムであって、
前記入力部は、前記質問に対する回答が選択肢で示されている場合に、前記選択肢に対応する複数のボタンを有することを特徴とする電波検出システム。
【請求項６】
請求項４に記載の電波検出システムであって、
前記入力部は、前記質問に対する回答を数値で表す場合に、各桁の数字に対応する複数のボタンを有することを特徴とする電波検出システム。
【発明の詳細な説明】
【技術分野】
【０００１】
本発明は、学校や試験会場等に設置される電波検出システムに関する。
【背景技術】
【０００２】
入学試験等の試験会場では、受験者による不正行為（カンニング）が行われないよう試験官が監督している。しかし、試験官の目視による監督では、携帯型の通信端末を用いた不正行為を発見できない場合がある。例えば、試験官が試験会場内を巡回している時、試験官の死角に位置する受験者が通信端末を用いて不正行為を行っても、当該不正行為は発見されない可能性が高い。このため、試験会場内での通信端末を用いた不正行為を防止すべく、特許文献１に記載の抑止装置の利用が考えられる。
【０００３】
特許文献１に記載の抑止装置は、セルラー方式の移動電話システムにおける携帯電話の着信を抑止する装置である。当該抑止装置は、高周波を発生する周波数発生回路と、周波数を選択する選択装置と、アンテナと、アンテナから送信する干渉電波を増幅するためのパワーアンプと、電源装置とを備える。抑止装置は、干渉電波の送信周波数及び送信電力を制御して、セルラー移動電話システムで使用される制御チャンネルを含む周波数に対し特定の場所の範囲で干渉を与える。
【先行技術文献】
【特許文献】
【０００４】
【特許文献１】特開２０００−３３２８９０号公報
【発明の概要】
【発明が解決しようとする課題】
【０００５】
上記説明した特許文献１に記載の抑止装置を設置して利用するためには、干渉電波を発する無線局として予め免許の交付を受ける必要がある。また、抑止装置の設置と運用のためには多額の費用を要する。特に、入学試験は年間を通して限られた日だけ行われる場合が多い。このため、入学試験の日のために抑止装置を利用するといった形態は、通信端末を用いた不正行為の防止といった効果は期待できるものの、設置箇所で抑止装置を利用するために必要な手間、維持管理及び費用が非常にかかると見込まれる。さらには、抑止装置を設置した会場外への干渉電波の漏えいは望ましくない。
ところで、学校での講義や試験会場での各種試験においては、さらに以下の課題がある。
（１）講義等が始まる際に行われる受講者の出欠確認を点呼又は署名等によって実施する場合、通常、本人確認が行われないため、代弁又は代筆等の不正行為を見逃すことがある。（２）複数の受験者が同じ場所で同じ時間に受ける試験等では、試験の開始及び終了を知らせるため、受験者に正確な時刻情報を提供する必要がある。（３）片方向型授業は、受講者の理解度にかかわらず、講師が一方的に講義を進めるため、受講者からの質問等がない限り、講師は受講者の理解度を知ることができず、授業運営の点で効率的ではない。
【０００６】
本発明の目的は、受講者の出欠確認を正確かつ簡易に行うことができる電波検出システムを提供することである。また、受験者に正確な時刻情報を通知する電波検出システムを提供することである。また、受講者の理解度を把握しながら講義を進めることのできる電波検出システムを提供することである。
【課題を解決するための手段】
【０００７】
本発明は、教育機関が発行する身分証明書が内蔵する記録媒体に記録された個別情報を読み取る個別情報読取部、前記個別情報読取部が読み取った個別情報を含むデータを生成するデータ生成部、及び、前記データ生成部が生成したデータを示す信号を所定の通信方式で送出する送出部をそれぞれ備えた、特定の領域内に設置される複数の電波検出装置と、前記送出部から送出された信号が示すデータに含まれる個別情報を、前記教育機関で行われる講義の受講者の出席確認に利用する電子機器と、を備えた電波検出システムを提供する。
【０００８】
本発明は、電波時計のための標準電波を受信する標準電波受信部、前記標準電波受信部が受信した標準電波を処理して時刻データを生成する時刻データ生成部、及び、前記時刻データが生成した時刻データを示す信号を所定の通信方式で送出する送出部を備えた通信装置と、特定の領域内に設置され、前記送出部から送出された信号が示す時刻データが示す時刻をディスプレイに表示するよう処理する複数の電波検出装置と、を備えた電波検出システムを提供する。
【０００９】
上記電波検出システムでは、前記通信装置は、前記電波検出装置において時刻を補正するための基準データを前記時刻データに含め、前記電波検出装置は、前記送出部から送出された信号が示す時刻データに含まれる基準データに基づいて、前記時刻データが示す時刻を補正した上で、補正した時刻を前記ディスプレイに表示するよう処理する。
【００１０】
本発明は、講義中に講師が行った質問に対する回答を受講者が入力するための入力部と、前記入力部によって入力された回答を示す回答データを生成する回答データ生成部と、前記回答データ生成部が生成した回答データを示す信号を所定の通信方式で送出する送出部をそれぞれ備えた、特定の領域内に設置される複数の電波検出装置と、前記送出部から送出された信号が示す回答データを集計する電子機器と、を備えた電波検出システムを提供する。
【００１１】
上記電波検出システムでは、前記入力部は、前記質問に対する回答が選択肢で示されている場合に、前記選択肢に対応する複数のボタンを有する。
【００１２】
上記電波検出システムでは、前記入力部は、前記質問に対する回答を数値で表す場合に、各桁の数字に対応する複数のボタンを有する。
【発明の効果】
【００１３】
本発明に係る電波検出システムによれば、受講者の出欠確認を正確かつ簡易に行うことができる。また、正確な時刻情報を提供することができる。また、受講者の理解度を把握しながら講義を進めることができる。
【図面の簡単な説明】
【００１４】
【図１】電波検出システムが利用される試験会場のレイアウトと当該電波検出システムの構成の一例を示す図
【図２】第１の実施形態の電波検出装置１００の内部構成を示すブロック図
【図３】第１の実施形態の通信装置１１の内部構成および電子機器１３との関係を示すブロック図
【図４】第１の実施形態における第１実施例の電波検出システムを構成する電波検出装置６００の内部構成を示すブロック図
【図５】第１の実施形態における第２実施例の電波検出システムを構成する通信装置７１の内部構成および電子機器１３との関係を示すブロック図
【図６】第１の実施形態における第２実施例の電波検出システムを構成する電波検出装置７００の内部構成を示すブロック図
【図７】第１の実施形態における第３実施例の電波検出システムを構成する通信装置８１の内部構成および電子機器１３との関係を示すブロック図
【図８】第１の実施形態における第３実施例の電波検出システムを構成する電波検出装置８００の内部構成を示すブロック図
【図９】第１の実施形態における第４実施例の電波検出システムを構成する電波検出装置９００の上面図
【図１０】第１の実施形態における第４実施例の電波検出システムを構成する電波検出装置９００の内部構成を示すブロック図
【図１１】第１の実施形態における第４実施例の電波検出システムを構成する電波検出装置９００の上面図
【発明を実施するための形態】
【００１５】
以下、本発明の実施形態について、図面を参照して説明する。
【００１６】
（第１の実施形態）
第１の実施形態の電波検出システムは、例えば、学校や入学試験等の試験会場等で利用される。図１は、電波検出システムが利用される教室や試験会場のレイアウトと当該電波検出システムの構成の一例を示す図である。図１に示す例では、教室や試験会場の最前方に講師または試験官用の机が配置され、当該講師または試験官用の机と対面するように、受講者または受験者用の机が行列状に配置されている。なお、図１に示した例では、１つの机を２名の受講者または受験者が利用する形態であるため、電波検出装置１００は机の左右両端にそれぞれ配置されている。
【００１７】
一方、講師または試験官用の机には、教室内または試験会場内の電波検出装置１００と無線通信可能な通信装置１１と、ノートパソコン又はタブレット端末等の持ち運び可能な電子機器１３とが配置される。電子機器１３には、直接又はケーブル等を介して通信装置１１が装着される。通信装置１１が装着された電子機器１３は、通信装置１１が取得したデータを解析して解析結果を表示する。
【００１８】
電波検出装置１００と通信装置１１は、ＤＥＣＴ（Digital Enhanced Cordless Telecommunications）に準拠した通信方式又は特定小電力無線等で用いられる通信方式による無線通信を互いに行う。図１には、当該無線通信による電波が二点鎖線の直線で示されている。以下、電波検出装置１００と通信装置１１の間では、一例としてＤＥＣＴに準拠した通信方式（以下「ＤＥＣＴ方式」という）で通信される場合を説明する。
【００１９】
電波検出装置１００は、さらに、ＤＥＣＴ方式と異なる通信方式での無線通信が自装置の周辺で行われているかを判定する。ＤＥＣＴ方式と異なる通信方式とは、例えば、標準化団体３ＧＰＰ（The 3rd Generation Partnership Project）が規定する３Ｇ又はＬＴＥ（Long Term Evolution）等で利用されるセルラー方式である。したがって、教室内の所定の位置に着席している受講生または試験会場内の所定の位置に着席している受験者が、セルラー方式による無線データ通信が可能な携帯電話又はスマートフォン等の携帯端末を用いて、不正行為等を行うために通信を行うと、電波検出装置１００は、当該通信が行われていることを判定する。なお、電波検出装置１００は、講義時間中や入学試験の回答時間中に限り上記判定を行い、講義時間外や回答時間外には当該判定を行わなくても良い。
【００２０】
図１に示した例では、「００８」の番号が付された位置に着席している受講者または受験者が、携帯端末を用いてセルラー方式による無線データ通信を行っている。この時、少なくとも「００８」に配置した電波検出装置１００は、自装置の周辺でセルラー方式による無線通信が行われていると判定し、その判定結果を含む報告信号を通信装置１１に送信する。
【００２１】
以下、第１の実施形態の電波検出装置１００の内部構成及び動作について、図２を参照して詳細に説明する。
【００２２】
図２は、第１の実施形態の電波検出装置１００の内部構成を示すブロック図である。図２に示すように、第１の実施形態の電波検出装置１００は、アンテナ１０１と、増幅部１０３と、ＲＦ測定部１０５と、メモリ１０７と、判定部１０９と、報告データ生成部１１１と、アンテナ１５１と、送受共用部１５３と、増幅部１５５と、受信部１５７と、制御部１５９と、送信部１６１と、増幅部１６３とを備える。図２に一点鎖線で囲まれたアンテナ１０１、増幅部１０３及びＲＦ測定部１０５は、セルラー方式に準拠して動作する構成要素である。一方、図２に二点鎖線で囲まれたアンテナ１５１、送受共用部１５３、増幅部１５５、受信部１５７、送信部１６１及び増幅部１６３は、ＤＥＣＴ方式に準拠して動作する構成要素である。
【００２３】
アンテナ１０１は、携帯電話又はスマートフォン等の携帯端末から発信されたセルラー方式での無線信号（以下「セルラー無線信号」という）の電波を受信する。増幅部１０３は、アンテナ１０１が受信した信号を所定の利得で増幅する。ＲＦ測定部１０５は、増幅部１０３によって増幅された信号の高周波帯の受信強度（以下「信号強度」という）を測定する。
【００２４】
メモリ１０７は、ＲＦ測定部１０５が測定した信号強度の測定値と比較するためのしきい値を記憶する。判定部１０９は、ＲＦ測定部１０５が測定した信号強度の測定値がしきい値を超えれば、自装置の周辺でセルラー方式による無線通信が行われていると判定する。報告データ生成部１１１は、自装置の周辺でセルラー方式による無線通信が行われていると判定された測定値と、当該判定が行われた時のタイミングを示す情報と、自装置を一意に識別するための装置識別情報とを含む報告データを生成する。
【００２５】
アンテナ１５１は、ＤＥＣＴ方式での無線信号を送受信する。送受共用部１５３は、アンテナ１５１による無線信号の送信及び受信のいずれかに切り替える。増幅部１５５は、アンテナ１５１が受信した信号を所定の利得で増幅する。受信部１５７は、増幅部１５５によって増幅された信号を復調する。通信装置１１からＤＥＣＴ方式で送信されアンテナ１５１が受信する無線信号は、通信装置１１と電波検出装置１００の間のＤＥＣＴ方式による通信のための同期情報を含む制御信号である。制御部１５９は、受信部１５７が制御信号を変調して得られた同期情報に基づいて、送信部１６１の動作を制御する。送信部１６１は、制御部１５９による制御に従って、報告データ生成部１１１が生成した報告データを含む報告信号を出力する。当該報告信号は、ＤＥＣＴ方式に準拠した、通信装置１１に送信するための信号である。増幅部１６３は、送信部１６１から出力された報告信号を所定の利得で増幅する。増幅部１６３が増幅した報告信号は、送受共用部１５３を介して、アンテナ１５１から送出される。
【００２６】
電波検出装置１００の通信相手は通信装置１１のみであるが、通信装置１１は、複数の電波検出装置１００と通信を行う必要がある。このため、電波検出装置１００と通信装置１１の間で行われるＤＥＣＴ方式による通信では、時分割多重方式による複数のチャネルが利用される。試験会場内に設置された複数の電波検出装置１００は、それぞれ異なるチャネルを用いて通信装置１１と通信を行い、かつ、送信時に利用するチャネルと受信時に利用するチャネルも異なる。したがって、電波検出装置１００は、通信装置１１から送信される制御信号に含まれる同期情報に従って、当該同期情報が示すチャネルのタイミングで報告信号を送信する。
【００２７】
以下、第１の実施形態の通信装置１１の内部構成及び動作について、図３を参照して詳細に説明する。
【００２８】
図３は、第１の実施形態の通信装置１１の内部構成および電子機器１３との関係を示すブロック図である。図３に示すように、第１の実施形態の通信装置１１は、アンテナ１８１と、送受共用部１８３と、増幅部１８５と、受信部１８７と、送信部１８９と、増幅部１９１とを備える。
【００２９】
アンテナ１８１は、ＤＥＣＴ方式での無線信号を送受信する。送受共用部１８３は、アンテナ１８１による無線信号の送信及び受信のいずれかに切り替える。増幅部１８５は、アンテナ１８１が受信した信号を所定の利得で増幅する。受信部１８７は、増幅部１８５によって増幅された信号を復調する。電波検出装置１００からＤＥＣＴ方式で送信されアンテナ１８１が受信する無線信号は、セルラー方式による無線通信が行われていると電波検出装置１００で判定された際に生成された報告データを含む報告信号である。受信部１８７が当該報告信号を変調して得られた報告データは、通信装置１１が装着された電子機器１３に送られる。送信部１８９は、電波検出装置１００と通信装置１１の間のＤＥＣＴ方式による通信のための同期情報を含む制御信号を出力する。増幅部１９１は、送信部１８９から出力された制御信号を所定の利得で増幅する。増幅部１９１が増幅した制御信号は、送受共用部１８３を介して、アンテナ１８１から送出される。
【００３０】
電波検出装置と通信装置１１の間のＤＥＣＴ方式での通信は、特定の領域内での携帯端末を用いた無線通信の監視以外にも利用することができる。以下、電波検出システムの複数の適用例について、実施例毎に説明する。
【００３１】
（第１実施例）
講義等が始まる際に行われる受講者の出欠確認は、出欠を確認する者にとって、その作業の負担が軽減されることが望ましい。また、点呼又は署名等による出欠の確認では、通常、本人確認が行われないため、代弁又は代筆等の不正行為を防止できない。このため、受講者の出欠確認を正確かつ簡易に行うことができれば好ましい。
【００３２】
近年の学生証には、学生の学籍番号等の個別情報が記録されたＩＣチップが内蔵されている。学生証に内蔵されたＩＣチップが記憶する情報は、学生課等に設けられた、接触型のリーダー又はＮＦＣ（Near Field Communication）等の近距離無線通信技術を用いたリーダーによって読み取り可能である。
【００３３】
第１実施例の電波検出システムでは、学生証のＩＣチップが記憶する学生の個別情報を電波検出装置が読み取る。電波検出装置は、読み取った個別情報を含む報告信号を通信装置１１に送信する。通信装置１１が接続された電子機器１３は、各電波検出装置から送信された報告信号に含まれる各学生の個別情報を処理して、本実施例の電波検出システムが設置された教室での講義に出席している学生を一元管理する。
【００３４】
図４は、第１の実施形態における第１実施例の電波検出システムを構成する電波検出装置６００の内部構成を示すブロック図である。図４に示す電波検出装置６００は、図２に示した電波検出装置１００が備える構成要素に加えて、個別情報読取部６０１及び出席データ生成部６０３をさらに備える。図４に示される構成要素の内、図２に示した電波検出装置１００が備える構成要素と同一又は同等の構成要素には同じ参照符号を付して、その説明を簡略化又は省略する。
【００３５】
個別情報読取部６０１は、ＩＣチップを内蔵する学生証が近接されると、ＩＣチップに記録されている学籍番号等の個別情報を読み取る。出席データ生成部６０３は、個別情報読取部６０１が読み取った個別情報を含む出席データを生成する。なお、出席データには、個別情報読取部６０１が個別情報を読み取った時の時刻情報が含まれても良い。本実施例では、制御部１５９による制御に従って、出席データ生成部６０３が生成した出席データを含む報告信号を送信部１６１が出力する。
【００３６】
このように、本実施例の電波検出システムが設置された教室での講義の出席確認は、各受講者が学生証を電波検出装置６００に近接すれば、電子機器１３において一元管理される。また、学生証は本人が個別に所持するものであるため、学生証を持たない代わりの者が代弁又は代筆等をすることができない。したがって、本実施例によれば、受講者の出欠確認が正確かつ簡易に行われる。
【００３７】
（第２実施例）
複数の受験者が同じ場所で同じ時間に受ける試験等では、試験の開始及び終了を知らせるため、受験者に正確な時刻情報を提供する必要がある。一般的に利用される現存の技術の内、最も正確な時刻情報を提供する手段としては、電波時計が有効である。このため、電波検出システムを構成する各電波検出装置に電波時計とディスプレイを搭載して、電波時計による時刻をディスプレイに表示すれば、各受験者が正確な時刻を知ることができると考えられる。
【００３８】
上述したように、電波検出システムを構成する複数の電波検出装置は、図１に示すように、それぞれが異なる位置に設置される。また、電波時計は、標準電波（Standard Time and Frequency Signal）を受信して時刻合わせを行う。このため、電波検出装置の設置位置によって標準電波の受信レベルが異なると、受験者間で時刻のずれが生じる。このため、試験官による試験の開始及び終了の合図と電波検出装置に表示される時刻とが一致していないとの不満が一部の受験者に残る可能性がある。
【００３９】
第２実施例の電波検出システムでは、電子機器１３が接続される通信装置に、標準電波を受信するアンテナと、標準電波を処理して時刻データを生成する時刻データ生成部とが設けられる。なお、当該通信装置は、標準電波の受信レベルが高い位置に配置される。本実施例の通信装置から各電波検出装置に時刻データを含む信号がＤＥＣＴ方式で送信され、各電波検出装置は、通信装置１１から送信された時刻データに応じた時刻を表示する。
【００４０】
図５は、第１の実施形態における第２実施例の電波検出システムを構成する通信装置７１の内部構成および電子機器１３との関係を示すブロック図である。図５に示す通信装置７１は、図３に示した通信装置１１が備える構成要素に加えて、標準電波受信アンテナ８８１及び時刻データ生成部８８３をさらに備える。図５に示される構成要素の内、図３に示した通信装置１１が備える構成要素と同一又は同等の構成要素には同じ参照符号を付して、その説明を簡略化又は省略する。
【００４１】
標準電波受信アンテナ８８１は、標準電波を受信する。時刻データ生成部８８３は、標準電波受信アンテナ８８１が受信した標準電波を処理して時刻データを生成する。本実施例では、時刻データ生成部８８３が生成した時刻データを含む信号を送信部１８９が出力する。
【００４２】
図６は、第１の実施形態における第２実施例の電波検出システムを構成する電波検出装置７００の内部構成を示すブロック図である。図６に示す電波検出装置７００は、図２に示した電波検出装置１００が備える構成要素に加えて、時刻表示処理部７０１及びディスプレイ７０３をさらに備える。図６に示される構成要素の内、図２に示した電波検出装置１００が備える構成要素と同一又は同等の構成要素には同じ参照符号を付して、その説明を簡略化又は省略する。
【００４３】
本実施例では、通信装置７１からの時刻データを含む信号をアンテナ１５１が受信すると、当該信号を受信部１５７が復調して得られた時刻データが制御部１５９に送られる。時刻表示処理部７０１は、制御部１５９に送られた時刻データが示す時刻をディスプレイ７０３に表示するよう処理する。ディスプレイ７０３は、時刻を表示する。
【００４４】
このように、本実施例の電波検出システムを構成する電波検出装置７００は、通信装置７１からの時刻データに応じた同じ時刻を表示する。したがって、全ての受験者が同じ時刻を認識することができる。
【００４５】
（第３実施例）
第２実施例では、時刻データを含む信号が通信装置７１から電波検出装置７００に送信され、電波検出装置７００は当該時刻データに応じた時刻を表示する。このため、電波検出装置７００のディスプレイ７０３には、少なくとも通信装置７１から電波検出装置７００に信号を伝送する時間分遅れた時刻が表示される。この点で、ディスプレイ７０３に表示される時刻は正確な時刻ではない。
【００４６】
図７は、第１の実施形態における第３実施例の電波検出システムを構成する通信装置８１の内部構成および電子機器１３との関係を示すブロック図である。図７に示すように、第３実施例の通信装置８１は、図３に示した通信装置１１が備える構成要素に加えて、標準電波を受信する標準電波受信アンテナ８９１と、標準電波を処理して時刻データを生成する時刻データ生成部８９３をさらに備える。図７に示される構成要素の内、図３に示した通信装置１１が備える構成要素と同一又は同等の構成要素には同じ参照符号を付して、その説明を簡略化又は省略する。
【００４７】
標準電波受信アンテナ８９１は、標準電波を受信する。時刻データ生成部８９３は、標準電波受信アンテナ８９１が受信した標準電波を処理して時刻データを生成する。なお、本実施例の時刻データには、各電波検出装置において時刻を補正するための基準データが含まれる。基準データは、例えば、通信装置８１からの制御信号を送信してから、当該制御信号に対する電波検出装置からの応答信号（ＡＣＫ）を通信装置が受信するまでの時間に基づいて、通信装置８１が決定する。通信装置８１は、電波検出装置毎に基準データを決定する。時刻データ生成部８９３が生成した時刻データを含む信号は、電波検出装置毎に送信部１８９が出力する。
【００４８】
図８は、第１の実施形態における第３実施例の電波検出システムを構成する電波検出装置８００の内部構成を示すブロック図である。図８に示す電波検出装置８００は、図２に示した電波検出装置１００が備える構成要素に加えて、補正値算出部８０１と、時刻表示処理部８０３と、ディスプレイ８０５とをさらに備える。図８に示される構成要素の内、図２に示した電波検出装置１００が備える構成要素と同一又は同等の構成要素には同じ参照符号を付して、その説明を簡略化又は省略する。
【００４９】
本実施例では、通信装置８１からの時刻データを含む信号をアンテナ１５１が受信すると、当該信号を受信部１５７が復調して得られた時刻データが制御部１５９に送られる。補正値算出部８０１は、制御部１５９に送られた時刻データが含む基準データに基づいて、ディスプレイ８０５に表示する時刻の補正値を算出する。時刻表示処理部８０３は、制御部１５９に送られた時刻データが示す時刻を、補正値算出部８０１が算出した補正値によって補正した上で、ディスプレイ８０５に表示するよう処理する。ディスプレイ８０５は、補正された時刻を表示する。
【００５０】
このように、本実施例の電波検出システムを構成する電波検出装置８００は、正確な時刻を表示することができる。その結果、全ての受験者が正確な同じ時刻を認識することができる。
【００５１】
（第４実施例）
片方向型授業は、受講者が内容の理解度にかかわらず、講師が一方的に講義を進める形態である。この形態では、受講者からの質問等がない限り、講師は受講者の理解度を知ることができないため、授業運営の点で効率的ではない。このため、多くの場合、双方向型授業が望ましい。
【００５２】
図９は、第１の実施形態における第４実施例の電波検出システムを構成する電波検出装置９００の上面図である。図９に示すように、第４実施例の電波検出装置９００には、ディスプレイ９０１と、図２６に点線で囲んだ複数のボタン９０３とが設けられる。また、図１０は、第１の実施形態における第４実施例の電波検出システムを構成する電波検出装置９００の内部構成を示すブロック図である。図１０に示す電波検出装置９００は、図２に示した電波検出装置１００が備える構成要素に加えて、ディスプレイ９０１と、複数のボタン９０３と、回答データ生成部９０５とをさらに備える。図１０に示される構成要素の内、図２に示した電波検出装置１００が備える構成要素と同一又は同等の構成要素には同じ参照符号を付して、その説明を簡略化又は省略する。
【００５３】
本実施例では、講師が電子機器１３に質問文を入力して各電波検出装置９００に送信するよう電子機器１３を操作すると、質問文のテキストデータを含む信号が通信装置１１から各電波検出装置９００に送信される。本実施例では、通信装置１１からのテキストデータを含む信号をアンテナ１５１が受信すると、当該信号を受信部１５７が復調して得られたテキストデータが制御部１５９に送られる。制御部１５９は、テキストデータをディスプレイ９０１に表示するよう処理する。
【００５４】
複数のボタン９０３は、ディスプレイ９０１に表示された質問に対する受講者が回答する際、選択的に利用する。受講者がいずれか１つのボタンを押すと、回答データ生成部９０５は、押されたボタンの識別情報を含む回答データを生成する。本実施例では、制御部１５９による制御に従って、回答データ生成部９０５が生成した回答データを含む報告信号を送信部１６１が出力する。電波検出装置９００から送信された報告信号を受信する通信装置１１が接続された電子機器１３は、各電波検出装置から送信された報告信号に含まれる回答データを集計して、回答数を選択肢毎に例えば棒グラフで表す。
【００５５】
なお、図９に示した例では、複数のボタン９０３が質問に対する選択肢を表すが、図１１に示すように、各ボタンを３桁の数値の千の位、十の位、一の位の各数字を選択し、選択した数値を決定するための入力手段としても良い。なお、数字を選択する場合、ボタンを押すとディスプレイ９０１に表示される数字がインクリメントされる。複数のボタン９０３が選択肢に対応するか数値の選択に対応するかは、受講者が所定のボタンを長押しすることで切り換えることができる。
【００５６】
このように、本実施例の電波検出システムが設置された教室での講義では、講師の質問に対して各受講者が電波検出装置９００を操作して回答し、講師は電子機器１３を用いて受講者の回答の傾向等を知ることができる。したがって、受講者の理解度を把握しながら講義を進めることができる。
【００５７】
以上説明した第１の実施形態では、各実施例を分けて説明したが、例えば第１実施例と第２実施例とを併せた構成としても良い。第１実施例と第２実施例の組み合わせ（これを「１＋２」と表す）以外にも、「１＋３」、「１＋２＋４」、「１＋３＋４」、「２＋４」、「３＋４」等の組み合わせの電波検出システムも考えられる。
【産業上の利用可能性】
【００５８】
本発明に係る電波検出装置は、受講者の出欠確認を正確かつ簡易に行うことができる電波検出タグ等として有用である。また、正確な時刻情報を提供することができる電波検出タグ等として有用である。また、受講者の理解度を把握しながら講義を進めることができる電波検出タグ等として有用である。
【符号の説明】
【００５９】
１００，６００，７００，８００，９００  電波検出装置
１１，７１，８１  通信装置
１３  電子機器
１０１  アンテナ
１０３  増幅部
１０５  ＲＦ測定部
１０７  メモリ
１０９  判定部
１１１  報告データ生成部
１５１  アンテナ
１５３  送受共用部
１５５  増幅部
１５７  受信部
１５９  制御部
１６１  送信部
１６３  増幅部
１８１  アンテナ
１８３  送受共用部
１８５  増幅部
１８７  受信部
１８９  送信部
１９１  増幅部
６０１  個別情報読取部
６０３  出席データ生成部
８８１，８９１  標準電波受信アンテナ
８８３，８９３  時刻データ生成部
７０１，８０３  時刻表示処理部
７０３，８０５  ディスプレイ
８０１  補正値算出部
９０１  ディスプレイ
９０３  複数のボタン
９０５  回答データ生成部
【図１】
2014222454.tif 000003
【図２】
2014222454.tif 000004
【図３】
2014222454.tif 000005
【図４】
2014222454.tif 000006
【図５】
2014222454.tif 000007
【図６】
2014222454.tif 000008
【図７】
2014222454.tif 000009
【図８】
2014222454.tif 000010
【図９】
2014222454.tif 000011
【図１０】
2014222454.tif 000012
【図１１】
2014222454.tif 000013